(57)【特許請求の範囲】
【請求項１】
熱交換器（１０）と、上記熱交換器（１０）に空気を導くファン（１６）と、吹出口（１７）と、その一部が冷媒の流れが流通と遮断との間で切り換えられる伝熱管とを含む空気調和機の室内機に取り付けられるようになっており、
上記室内機に取り付けられたとき、全伝熱管のうち冷媒の流れが遮断された伝熱管に対応する上記熱交換器（１０）の部分の通風を妨げるように形成されていることを特徴とする遮蔽部材。
【請求項２】
請求項１に記載の遮蔽部材において、
上記室内機内に取り付けられたとき上記熱交換器（１０）の吹出口（１７）側の端部を覆うようになっている遮蔽板（２）を備えたことを特徴とする遮蔽部材。
【請求項３】
請求項１に記載の遮蔽部材において、
上記熱交換器（１０）の一部を覆うように形成された遮蔽板（２）と、
上記遮蔽板（２）に連結されていると共に、上記熱交換器（１０）が有する伝熱管（２３）に係合可能に形成された伝熱管係合部（３）と
を備えることを特徴とする遮蔽部材。
【請求項４】
請求項１に記載の遮蔽部材において、
上記熱交換器（１０）の一部を覆うように形成された遮蔽板（２）と、
上記遮蔽板（２）に設けられ、上記熱交換器（１０）が有する管板（２７）に取り付けられる取付け部（７）を備えることを特徴とする遮蔽部材。
【請求項５】
請求項１に記載の遮蔽部材において、
上記熱交換器（１０）の一部を覆うように形成された遮蔽板（２）を備え、
上記熱交換器（１０）からの結露水を受けるドレンパン（１５）、又は、上記空気調和機の室内機のケーシング（１２）に取り付けられていることを特徴とする遮蔽部材。
【請求項６】
請求項２乃至５のいずれか１つに記載の遮蔽部材において、
上記遮蔽板（２）に連結されていると共に、上記熱交換器（１０）が有するフィン（２５）に係合可能に形成されたフィン係合部（４）を備えることを特徴とする遮蔽部材。
【請求項７】
請求項１乃至６のいずれか１つに記載の遮蔽部材において、
上記ファン（１６）で導かれた空気が上記熱交換器（１０）の一部へバイパスすることを防止するバイパス防止リブ（５）を備えることを特徴とする遮蔽部材。
【請求項８】
請求項１乃至４のいずれか１つに記載の遮蔽部材において、
通風の妨げが不要な熱交換器の部分に装着されることを防止する誤装着防止部（６）を備えることを特徴とする遮蔽部材。
【請求項９】
請求項１乃至８のいずれか１つに記載の遮蔽部材（１）を備える空気調和機の室内機。
【発明の詳細な説明】
【技術分野】
【０００１】
本発明は、空気調和機の室内機に用いられる遮蔽部材およびそれを用いた空気調和機の室内機に関する。
【背景技術】
【０００２】
従来、冷暖房能力が互いに異なる複数の空気調和機の室内機について、同一のケーシングを用いる一方、互いに異なる大きさの熱交換器を設けることが提案されている（例えば特許文献１：実公平７−４２０１０号公報参照）。これにより、冷暖房能力が異なる室内機の間でケーシングを共通化して、部品点数を削減して製造コストを削減するようにしている。
【０００３】
しかしながら、上記従来の空気調和機の室内機は、冷暖房能力に応じて異なる大きさの熱交換器を製造する必要があるので、部品点数が未だ多く、製造コストが比較的高いという問題がある。
【０００４】
また、上記従来の空気調和機の室内機は、冷暖房能力に応じた大きさの熱交換器を用いるので、例えば室外機を当初よりも大型のものに交換して冷暖房能力を増大しようとすると、当初の熱交換器を用いて熱交換能力を増大することができないから、室内機も大型のものに変更する必要がある。つまり、上記従来の空気調和機の室内機は、冷暖房能力を増大することが困難であるという問題がある。
【特許文献１】実公平７−４２０１０号公報
【発明の開示】
【発明が解決しようとする課題】
【０００５】
そこで、本発明の課題は、空気調和機の室内機について、部品点数を効果的に削減できて製造コストを効果的に低減できる遮蔽部材を提供することにある。また、熱交換器を交換することなく（ただし、冷媒の流し方の変更は可）、熱交換能力を変更できる空気調和機の室内機を提供することにある。
【課題を解決するための手段】
【０００６】
上記課題を解決するため、本発明の遮蔽部材は、熱交換器と、上記熱交換器に空気を導くファンと、吹出口と、その一部が冷媒の流れが流通と遮断との間で切り換えられる伝熱管とを含む空気調和機の室内機に取り付けられるようになっており、上記室内機に取り付けられたとき、全伝熱管のうち冷媒の流れが遮断された伝熱管に対応する上記熱交換器の部分の通風を妨げるように形成されていることを特徴としている。
【０００７】
上記構成によれば、上記遮蔽部材が設けられた空気調和機の室内機は、熱交換器の一部の通風が妨げられて、この熱交換器の熱交換能力が低減する。したがって、空気調和機の室内機に与えるべき冷暖房能力に応じて上記遮蔽部材を用いることにより、冷暖房能力が異なる室内機の間で共通の熱交換器を用いることができる。その結果、効果的に部品点数を削減してコストダウンを有効に行うことができる。
【０００８】
また、上記遮蔽部材が設けられた空気調和機の室内機について、例えば室外機の交換等によって冷暖房能力を増大しようとする場合、上記遮蔽部材を除去することにより、上記熱交換器の熱交換能力を容易に増大することができる。このように、遮蔽部材の着脱により、空気調和機の室内機の冷暖房能力を容易に調整できるので、この室内機を長期に亘って使用することができる。
【０００９】
なお、上記遮蔽部材は、上記熱交換器の冷媒が供給されない部分の通風を妨げるように形成されているのが好ましい。特に、上記熱交換器は、この熱交換器に設けられて冷媒を流す伝熱管のうち、一部の冷媒の流れが流通と遮断との間で切り換えられるようになっていて、上記遮蔽部材は、上記冷媒の流れが遮断された伝熱管の一部に対応する熱交換器の部分の通風を妨げるように形成されているのが好ましい。
【００１０】
なお、上記遮蔽部材は、熱交換器の一部の通風を妨げるものであれば、例えば板やテープ等のあらゆるものを用いることができる。
【００１１】
一実施形態の遮蔽部材は、上記熱交換器の一部を覆うように形成された遮蔽板と、
上記遮蔽板に連結されていると共に、上記熱交換器が有する伝熱管に係合可能に形成された伝熱管係合部と
を備える。
【００１２】
上記実施形態によれば、上記伝熱管係合部を、上記熱交換器が有する伝熱管に係合させることにより、上記遮蔽板が上記熱交換器の一部を覆う状態で、上記遮蔽部材が熱交換器に固定される。したがって、上記遮蔽部材を熱交換器に容易に取り付けることができる。
【００１３】
一実施形態の遮蔽部材は、上記熱交換器の一部を覆うように形成された遮蔽板と、
上記遮蔽板に設けられ、上記熱交換器が有する管板に取り付けられる取付け部とを備える。
【００１４】
上記実施形態によれば、上記取付け部を、上記熱交換器の管板に取り付けることにより、上記遮蔽板が上記熱交換器の一部を覆う状態で、上記遮蔽部材が熱交換器に取り付けられる。例えば、上記熱交換器の管板に螺合穴を設け、上記遮蔽部材の取付け部としてのビス穴を設けて、このビス穴を挿通するビスを螺合穴に螺着することにより、上記遮蔽板を、熱交換器の通風が必要な位置に誤装着することなく適切な位置に取り付けることができる。
【００１５】
一実施形態の遮蔽部材は、上記熱交換器の一部を覆うように形成された遮蔽板を備え、
上記熱交換器からの結露水を受けるドレンパン、又は、上記空気調和機の室内機のケーシングに取り付けられている。
【００１６】
上記実施形態によれば、この遮蔽部材を、上記熱交換器からの結露水を受けるドレンパン、又は、上記空気調和機の室内機のケーシングに取り付けることにより、上記遮蔽板で上記熱交換器の一部を覆うことができる。特に、上記遮蔽部材は、上記ドレンパンが配置されることによって熱交換器の他の部分よりも通風量が減少する部分を、覆うことができる。すなわち、上記熱交換器について、上記ドレンパンによる通風量の減少が生じない部分に通風して、熱交換を行うことができるので、良好な熱交換効率が得られる。
【００１７】
一実施形態の遮蔽部材は、上記遮蔽板に連結されていると共に、上記熱交換器が有するフィンに係合可能に形成されたフィン係合部を備える。
【００１８】
上記実施形態によれば、上記フィン係合部が、上記熱交換器が有するフィンに係合することにより、上記遮蔽板が上記熱交換器のフィンに近接して固定される。したがって、この遮蔽板の撓みや振動等を少なくできて、上記熱交換器の一部への通風を効果的に遮蔽することができる。
【００１９】
一実施形態の遮蔽部材は、上記ファンで導かれた空気が上記熱交換器の一部へバイパスすることを防止するバイパス防止リブを備える。
【００２０】
上記実施形態によれば、上記バイパス防止リブによって、上記熱交換器の一部への空気のバイパスを防止することができるので、この熱交換器の熱交換能力を奏しない部分に空気が漏れて熱交換能力が低下することを、効果的に防止できる。
【００２１】
一実施形態の遮蔽部材は、通風の妨げが不要な熱交換器の部分に装着されることを防止する誤装着防止部を有する。
【００２２】
上記実施形態によれば、上記誤装着防止部によって、通風の妨げが不要な熱交換器の部分に上記遮蔽部材が誤って装着されることが、効果的に防止される。
【００２３】
一実施形態の空気調和機の室内機は、上記遮蔽部材を備える。
【００２４】
上記実施形態によれば、上記空気調和機の室内機は、上記遮蔽部材を備えない他の空気調和機の室内機と、熱交換器を共通にできるので、部品点数を効果的に削減してコストダウンを効果的に行うことができる。
【００２５】
また、上記遮蔽部材を取り外すことにより、熱交換器の熱交換能力を当初よりも増大することができるので、上記空気調和機の室内機の冷暖房能力を容易に変更することができる。これにより、例えば空気調和機の室外機の変更や、空気調和すべき室の熱負荷の変化等に対応することができるので、上記空気調和機の室内機を長期に亘って使用することができる。
【発明の効果】
【００２６】
以上のように、本発明の遮蔽部材は、熱交換器と、上記熱交換器に空気を導くファンと、吹出口（１７）と、その一部が冷媒の流れが流通と遮断との間で切り換えられる伝熱管とを含む空気調和機の室内機に取り付けられるようになっており、上記室内機に取り付けられたとき、全伝熱管のうち冷媒の流れが遮断された伝熱管に対応する上記熱交換器の部分の通風を妨げるように形成されているので、空気調和機の室内機に与えるべき冷暖房能力に応じて上記遮蔽部材を用いることにより、冷暖房能力が異なる室内機の間で共通の熱交換器を用いることができるから、効果的に部品点数を削減してコストダウンを効果的に行うことができる。また、上記遮蔽板が設けられた空気調和機の室内機について、冷暖房能力を増大しようとする場合、上記遮蔽板を除去することにより、上記熱交換器の熱交換能力を容易に増大することができるので、例えば室外機の交換等に容易に対応することができて、この室内機を長期に亘って使用することができる。
【発明を実施するための最良の形態】
【００２７】
以下、本発明を図示の実施の形態により詳細に説明する。
【００２８】
図１は、本発明の実施形態の遮蔽部材１を示す斜視図であり、図２は上記遮蔽部材１の正面図であり、図３は上記遮蔽部材１の平面図であり、図４は上記遮蔽部材１の側面図である。
【００２９】
この遮蔽部材１は、空気調和機の室内機に用いられるものであり、上記室内機の熱交換器に装着されて、この熱交換器の一部への通風を妨げるように形成されている。この遮蔽部材１は、装着される上記熱交換器の一部を覆うように形成された遮蔽板２を備え、この遮蔽板２は、断面において大略弧状に屈曲している。この遮蔽板２の長手方向の両端に、上記熱交換器の伝熱管に係合する伝熱管係合部３が設けられている。詳しくは、上記遮蔽板２の正面から見て右側の端部に設けられた伝熱管係合部３は、上端から突出する鍵状の第１係合部３ａと、下端近傍から突出する弧状の第２係合部３ｂで構成されている。一方、上記遮蔽板２の正面から見て左側の端部に設けられた伝熱管係合部３は、上端から突出する鍵状の第１係合部３ａと、下端近傍から突出する弧状の第２係合部３ｂと、下端から突出する鍵状の第３係合部３ｃとで構成されている。さらに、大略弧状の上記遮蔽板２の内側面には、上記熱交換器のフィン２５に係合する３つのフィン係合部４が、長手方向に向かって略等間隔に配置されている。上記フィン係合部は、上記遮蔽板２の長手方向と概略直角方向に突出すると共に、平面が遮蔽板２の上下方向に向いた板形状を有している。また、上記遮断板２の上端縁の近傍に、上記熱交換器の一部への空気のバイパスを妨げるバイパス防止リブ５が設けられている。このバイパス防止リブ５は、遮蔽板２の長手方向かつ遮蔽板２への取り付け部と略直角方向に平面が延びると共に、上記遮蔽板２の内側に向かって突出している。上記遮蔽板２の正面から見て右側面の上端には、通風の妨げが不要な熱交換器に遮蔽部材１が装着されることを防止する棒状の誤装着防止部６が設けられている。この誤装着防止部６は、上記遮蔽板２の長手方向と略平行に延びている。上記遮蔽板２、伝熱管係合部３、フィン係合部４、バイパス防止リブ５および誤装着防止部６は、樹脂によって一体に成型されている。上記遮蔽板２の長手方向の両端には、ビス穴７が夫々設けられているが、上記伝熱管係合部３が設けられている場合は、上記ビス穴７は設けなくてもよい。
【００３０】
図５は、上記遮蔽部材１が取り付けられた空気調和機の室内機を示す断面図である。図６は、上記室内機の熱交換器１０と遮蔽部材１を取り出して示した正面図であり、図７は、上記熱交換器１０と遮蔽部材１を取り出して示した断面図である。
【００３１】
図５に示すように、空気調和機の室内機は、壁に固定される底パネル１２と、この底パネル１２の上端に連結されると共に、室内空気を吸入するグリルが形成された上面パネル１３と、この上面パネル１３に連なると共に、前面側に開閉可能に取り付けられたフロントパネル１４を備える。このフロントパネル１４の上部には、室内空気を吸入するスリット１４ａが形成されている。上記フロントパネル１４の内側には、断面において大略逆Ｖ字形状を有する熱交換器１０が配置されている。この熱交換器１０と底パネル１２との間に、クロスフローファン１６が配置されている。このクロスフローファン１６は、略円筒形状を有し、周面に、回転軸１６ａ方向に延在する複数の羽根が設けられている。また、上記フロントパネル１４の下端に隣接して、上記熱交換器１０で熱交換を行った後の空気を室内に吹き出すための吹出口１７が設けられている。この吹出口１７の上方、かつ、上記熱交換器１０の前面側の下端近傍に、上記熱交換器１０の結露水を受けるドレンパン１５が設けられている。
【００３２】
上記遮蔽部材１は、上記熱交換器１０の吹出口１７側の端部に取り付けられている。図６に示した熱交換器１０の正面図において、熱交換器１０に接続された連絡配管１９の先端が位置している側が、吹出口１７側である。なお、上記連絡配管１９は、液配管１９１およびガス配管１９２で構成され、圧縮機および室外熱交換器を備える図示しない室外機に接続されている。この室外機から、液配管１９１およびガス配管１９２のうちの一方を介して所定温度の熱媒体が熱交換器１０に供給され、この熱交換器１０で室内空気と熱交換を行った熱媒体は、液配管１９１およびガス配管１９２のうちの他方を介して上記室外機に戻されるようになっている。上記液配管１９１は、第１および第２液配管１９１ａ，１９１ｂの二股に分岐して、上記熱交換器１０に接続されている。また、上記ガス配管１９２は、第１および第２ガス配管１９２ａ，１９２ｂの二股に分岐して、上記熱交換器１０に接続されている。
【００３３】
上記熱交換器１０は、複数の直線管２１、および、この複数の直線管２１を接続する複数のＵ字管２２で構成される伝熱管２３と、この伝熱管の直線管２１が貫通する複数のフィン２５とで構成されている。上記伝熱管の直線管２１は、図７に示すように、Ｖ字形状の熱交換器１０の外面側と内面側とで２列、かつ、フィン２５の長手方向に１４段設けられている。上記複数のフィン２５は、熱交換器１０の長手方向の左右両側に配置された管板２７の間に、互いに所定の間隔を隔てて積み重なるように配列されている。上記複数のフィン２５は、平面が図６の紙面の直角方向を向くように配置されている。なお、図６では、個々のフィン２５は図示していない。
【００３４】
図６，７に示すように、上記熱交換器１０の吹出口１７側の端部が、上記遮蔽部材１の遮蔽板２によって覆われている。この遮蔽板２で覆われた熱交換器１０の部分は、吹出口１７側の端（以下、下端という）から１段目および２段目の直線管２１１，２１２に相当する部分である。この２段の直線管２１１，２１２には、後述するように、熱媒体が供給されないようになっている。また、上記２段目の直線管２１２のうち、熱交換器１０の外面側に位置する直線管２１２ａの上方に、上記遮蔽部材１のバイパス防止リブ５が内面側に向かって突出している。詳しくは、上記フィン２５に、下端から２段目の直線管２１２の上方に切り込み２５ａが形成されており、この切り込みの内側に、上記遮蔽部材１のバイパス防止リブ５が挿入されている。
【００３５】
図８Ａは、上記熱交換器１０の正面から見て右側部分を示す斜視図であり、図８Ｂは、図８Ａのうち、遮蔽部材１の伝熱管係合部３が伝熱管２３に係合する部分Ａを示した拡大斜視図である。図９Ａは、図８Ａが示す部分の正面図であり、図９Ｂは、図９Ａのうち、遮蔽部材１の誤装着防止部６の近傍の部分Ｂを示した拡大正面図である。
【００３６】
図８Ａおよび８Ｂに示すように、伝熱管係合部３のうち、遮蔽板２の上端から突出する第１係合部３ａは、熱交換器１０の外面側かつ下端から３段目の直線管２１３ａの端部に係合している。また、遮蔽板２の下端近傍から突出する第２係合部３ｂは、熱交換器１０の外面側かつ下端から１段目の直線管２１１ａの端部に係合している。なお、上記熱交換器１０の正面から見て左側部分の伝熱管係合部３は、上記第１および第２係合部３ａ，３ｂが直線管２１３ａ，２１１ａに係合すると共に、第３係合部３ｃが、熱交換器１０の内面側かつ下端から１段目の直線管２１１ｂの端部に係合している。
【００３７】
また、図８Ｂおよび図９Ｂに示すように、遮蔽部材１の誤装着防止部６は、熱交換器１０の外面側かつ下端から２段目の直線管２１２ａと、外面側かつ３段目の直線管２１３ａとの間に位置している。詳しくは、上記誤装着防止部６は、上記外面側２段目の直線管２１２ａに接続されたＵ字管２２１と、上記外面側３段目の直線管２１３ａに接続されたＵ字管２２３との間の隙間に、これらのＵ字管２２１，２２３によって妨げられることなく配置されている。
【００３８】
図１０Ａは、上記熱交換器１０の右側面を示す図であり、伝熱管の端部を支持する管板２７の表面が現れている。図１０Ｂは、比較例の熱交換器１１０を示す側面図であり、この熱交換器１１０は、図１０Ａの熱交換器１０と同一の直線管およびフィンを有する一方、Ｕ字管の配置のみが異なる。本実施形態の熱交換器１０は、比較例の熱交換器１１０と同じ大きさであるが、上記Ｕ字管の配置により、比較例の熱交換器１１０よりも小さい熱交換能力を有する。具体的には、本実施形態の熱交換器１０は、図１０Ａに示すように、下端から３段目の外面側と内面側の直線管２１３ａ，２１３ｂが、Ｕ字管２２３で互いに接続されていることにより、下端から１段目および２段目の直線管２１１，２１２には熱媒体が供給されないようになっている。
【００３９】
より詳しくは、上記連絡配管の第１液配管１９１ａに接続される外面側８段目の直線管２１８ａは、図１０Ａと熱交換器１０の長手方向の反対側で、Ｕ字管を介して外面側７段目の直線管２１７ａに接続され、この外面側７段目の直線管２１７ａは、図１０Ａに示すように、Ｕ字管２２６によって外面側６段目の直線管２１６ａに接続されている。この外面側６段目の直線管２１６ａは、熱交換器１０の長手方向の両側に位置する複数のＵ字管２２５を介して、外面側５段目、４段目、３段目の直線管２１５ａ，２１４ａ，２１３ａに順次接続されている。上記外面側３段目の直線管２１３ａは、Ｕ字管２２３を介して内面側３段目の直線管２１３ｂに接続されている。この内面側３段目の直線管２１３ｂは、熱交換器１０の長手方向の両側に位置する複数のＵ字管２２４を介して、内面側４段目、５段目、６段目の直線管２１４ｂ，２１５ｂ，２１６ｂに順次接続されている。この内面側６段目の直線管２１６ｂは、連絡配管の第１ガス配管１９２ａに接続されている。すなわち、連絡配管の第１液配管１９１ａと第１ガス配管１９２ａとの間に、順次、外面側８段目，外面側７段目，外面側６段目，外面側５段目，外面側４段目，外面側３段目，内面側３段目，内面側４段目，内面側５段目，内面側６段目の直線管２１８ａ，２１７ａ，２１６ａ，２１５ａ，２１４ａ，２１３ａ，２１３ｂ，２１４ｂ，２１５ｂ，２１６ｂが接続されている。
【００４０】
一方、外面側１段目および２段目の直線管２１１ａ，２１２ａと、内面側１段目および２段目の直線管２１１ｂ，２１２ｂは、熱交換器１０の左右両側のＵ字管２２１，２２２によって、閉ループを構成するように接続されている。この閉ループを構成して連絡配管１９に接続されていない２段の直線管２１１ａ，２１２ａ，２１１ｂ，２１２ｂに対応する部分を、遮蔽部材の遮蔽板２が覆っている。
【００４１】
また、連絡配管の第２液配管１９１ｂと第２ガス配管１９２ｂとの間には、順次、外面側９段目，外面側１０段目，外面側１１段目，外面側１２段目，外面側１３段目，外面側１４段目，内面側１４段目，内面側１３段目，内面側１２段目，内面側１１段目，内面側１０段目，内面側９段目，内面側８段目，内面側７段目の直線管２１９ａ，２１１０ａ，２１１１ａ，２１１２ａ，２１１３ａ，２１１４ａ，２１１４ｂ，２１１３ｂ，２１１２ｂ，２１１１ｂ，２１１０ｂ，２１９ｂ，２１８ｂ，２１７ｂが接続されている。
【００４２】
これに対して、図１０Ｂに示す比較例の熱交換器１１０は、連絡配管の第１液配管１９１ａと第１ガス配管１９２ａとの間に接続される直線管の数が、図１０Ａに示す本実施形態の熱交換器と異なる。すなわち、連絡配管の第１液配管１９１ａと第１ガス配管１９２ａとの間に、順次、外面側８段目，外面側７段目，外面側６段目，外面側５段目，外面側４段目，外面側３段目，外面側２段目，外面側１段目，内面側１段目，内面側２段目，内面側３段目，内面側４段目，内面側５段目，内面側６段目の直線管２１８ａ，２１７ａ，２１６ａ，２１５ａ，２１４ａ，２１３ａ，２１２ａ，２１１ａ，２１１ｂ，２１２ｂ，２１３ｂ，２１４ｂ，２１５ｂ，２１６ｂが接続されている。なお、連絡配管の第２液配管１９１ｂと第２ガス配管１９２ｂとの間に接続される直線管の数は、図１０Ａの本実施形態と同一である。
【００４３】
本実施形態の空気調和機の室内機は、以下のように動作する。すなわち、クロスフローファン１６が、図示しないファンモータによって回転軸１６ａ周りに駆動されて、この回転軸１６ａと交わる方向に空気流を生成する。これにより、室内空気が、上記上面パネル１３のグリルおよびフロントパネル１４のスリットから吸い込まれて熱交換器１０に導かれ、この熱交換器１０の伝熱管２３内を流れる熱媒体と熱交換を行って、上記吹出口１７から吹き出される。
【００４４】
上記熱交換器１０は、下端から２段の直線管２１１，２１２に対応する部分が遮蔽部材の遮蔽板２によって覆われており、また、上記前面側２段目の直線管２１２ａの上方に遮蔽部材のバイパス防止リブ５が突出している。これにより、熱媒体が供給されない１段目および２段目の直線管２１１，２１２に相当する部分の通風を、効果的に妨げることができる。したがって、上記熱交換器１０に、熱交換機能を奏する３段目から１４段目の直線管に相当する部分に効果的に通風を行って、この熱交換器１０が有する熱交換能力を効果的に得ることができる。
【００４５】
本実施形態の空気調和機の室内機は、遮蔽部材１で熱交換器１０の１段目および２段目への通風を妨げることにより、また、Ｕ字管の配置を調節することにより、比較例の熱交換器１１０を用いる空気調和機の室内機と、熱交換器の構成部品の共通化を図ることができる。したがって、冷暖房能力が異なる室内機の間で共通の熱交換器を用いることができるので、効果的に部品点数を削減してコストダウンを行うことができる。
【００４６】
また、本実施形態の空気調和機の室内機が備える熱交換器１０は、遮蔽部材１を取り外すと共に、Ｕ字管の配置を調節することにより、比較例の熱交換器１１０と同じ熱交換能力を容易に得ることができる。したがって、例えば室外機の交換等に伴って、室内機の冷暖房能力を容易に増大することができる。その結果、本実施形態の空気調和機の室内機は、長期に亘って使用することができる。
【００４７】
また、上記遮蔽部材１は、伝熱管係合部３によって伝熱管の直線管２１１ａ，２１１ｂ，２１３ａに係合することにより、熱交換器１０への着脱を容易に行うことができる。したがって、空気調和機の室内機の製造や、室内機の冷暖房能力の変更等の作業を容易に行うことができる。
【００４８】
また、上記遮蔽部材１は、バイパス防止リブ５によって、熱交換器１０の下端から１段目および２段目の伝熱管２１１，２１２に対応する部分への通風を効果的に防止できるので、熱交換効率の低下を効果的に防止できる。
【００４９】
また、上記遮蔽部材１は、フィン係合部４によって、遮蔽板２の長手方向中央部の近傍を、フィン２５の縁に近接して保持することができるから、上記遮蔽板２の撓みを少なくできる。したがって、上記熱交換器１０の１段目および２段目の伝熱管２１１，２１２に対応する部分への空気の漏れを効果的に防止できるので、熱交換効率の低下を効果的に防止できる。
【００５０】
また、上記遮蔽部材１は、上記誤装着防止部６によって、装着が不要な比較例の熱交換器１１０に装着されることを防止できる。詳しくは、伝熱管の全直線管に冷媒が流れる比較例の熱交換器１１０では、遮蔽部材１を装着しようとすると、上記誤装着防止部６が、外面側２段目の直線管２１２ａと３段目の直線管２１３ａとを連結するＵ字管２２８に接触する。したがって、上記遮蔽部材１は、比較例の熱交換器１１０に誤装着されることを確実に防止できる。
【００５１】
なお、上記実施形態において、遮蔽部材１は、上記遮蔽板２と、この遮蔽板２の幅方向の両端に設けられた取付け部としてのビス穴７とを有するように構成し、伝熱管係合部３を削除してもよい。この場合、熱交換器１０の幅方向の両側面に設けられた管板２７の縁に、この管板２７が延びる面に対して略直角に屈曲した舌状の小板を設け、この小板に螺合穴２７ａを設ける（図９Ａ及び９Ｂ参照）。この管板の螺合穴２７ａに、上記遮蔽部材１のビス穴７を挿通したビスを固定する。これにより、上記遮蔽部材１を熱交換器１０に簡単な構造で取り付けることができる。また、上記螺合穴２７ａを管板２７の適切な位置に予め設けておくことにより、空気調和機の組み立て時に、誤装着することなく熱交換器１０の適切な位置に遮蔽部材１を取り付けることができる。
【００５２】
図１１Ａは、本発明の他の実施形態の遮蔽部材１１を示す図であり、図１１Ｂは、図１１ＡのＡ−Ａ線における断面図である。
【００５３】
本実施形態の遮蔽部材１１はドレンパン１５に取り付けられていて、この遮蔽部材１１とドレンパン１５が一体に形成されている。この遮蔽部材１１は、熱交換器１０の幅方向に延びる細長の矩形状を有する遮蔽板２を有し、この遮蔽板２の下端が、ドレンパン１５の内側面の底に固定されている。上記遮蔽板２の上端縁の近傍には、この遮蔽板２に対して大略直角に延びるリブ５が固定されている。この遮蔽板２は、上記熱交換器１０の前面側の下端部に位置する２段の直線管２１１，２１２の前方部分を覆っている。一方、上記ドレンパン１５は、熱交換器１０の幅方向に延在すると共に凹形状断面を有して、この熱交換器１０の前面側の下端部を囲んでいる。このドレンパン１５は、長手方向の一端に、上記熱交換器１０から受けた結露水を排出するドレンホースが接続されている。一体に形成された遮蔽部材１１とドレンパン１５は、このドレンパン１５の両端に設けられた連結部を介して、底パネル１２に連結されている。
【００５４】
上記熱交換器１０は、ドレンパン１５によって下端部が囲まれることにより、この下端部の通風量が他の部分よりも少なくなる。ここで、上記ドレンパン１５と一体に形成された遮蔽部材１１によって、上記熱交換器の通風量が少ない下端部が覆われるので、上記ドレンパン１５による通風量の減少が生じない熱交換器の部分に通風される。このように、通風され易い部分に通風することにより、クロスフローファン１６の送風効率を向上でき、また、熱交換器１０の熱交換効率を良好にできる。なお、上記遮蔽部材１１は、上記ドレンパン１５と一体に形成しなくて、各々別体に形成された遮蔽部材１１とドレンパン１５とを連結してもよい。また、上記遮蔽板２には、熱交換器のフィン２５に係合するフィン係合部４を設けてもよい。また、上記遮蔽部材１１は、ドレンパン１５以外に、室内機のケーシングを形成する底パネル１２に取り付けてもよい。この場合、遮蔽部材１１の長手方向両端を、底パネル１２の側面の内側に取り付ければよい。
【００５５】
なお、上記各実施形態において、遮蔽部材１，１１は遮蔽板２を用いて構成したが、熱交換器１０の一部への通風を防止する機能を有するのであれば、例えばテープ等を用いて構成してもよい。
【００５６】
また、上記熱交換器１０は、逆Ｖ字形状を有する物に限られず、あらゆる形状のものを用いることができる。
【００５７】
また、上記遮蔽部材１，１１が通風を妨げる部分は、熱交換器１０のうちの下端から１段目および２段目の直線管に対応する部分に限られず、必要に応じて適宜変更することができる。
【００５８】
また、１つの熱交換器に対して、複数の遮蔽部材を設けてもよい。
【００５９】
また、本発明は、壁掛け型の室内機に限られず、天井埋め込み型や据え置き型等のあらゆる形式の室内機に適用することができる。
【００６０】
以上、本発明の実施形態を説明したが、これは種々変更してもよいことは明らかである。そのような変更は、本発明の精神と範囲からの逸脱ではあるとみなされるべきではなく、当業者にとって自明であるような変更はすべて、特許請求の範囲の中に含まれるものである。
【図面の簡単な説明】
【００６１】
本発明は以下の詳細な説明と添付の図面からより十分に理解できるであろう。添付の図面は説明のためだけのものであって、本発明を制限するものではない。図面において、
【図１】本発明の実施形態の遮蔽部材を示す斜視図である。
【図２】遮蔽部材の正面図である。
【図３】遮蔽部材の平面図である。
【図４】遮蔽部材の側面図である。
【図５】遮蔽部材が取り付けられた空気調和機の室内機を示す断面図である。
【図６】室内機の熱交換器と遮蔽部材を取り出して示した正面図である。
【図７】熱交換器と遮蔽部材を取り出して示した断面図である。
【図８Ａ】熱交換器の正面から見て右側部分を示す斜視図である。
【図８Ｂ】図８Ａのうち、遮蔽部材の伝熱管係合部が伝熱管に係合する部分Ａを示した拡大斜視図である。
【図９Ａ】図８Ａが示す部分の正面図である。
【図９Ｂ】図９Ａのうち、遮蔽部材の誤装着防止部の近傍の部分Ｂを示した拡大正面図である。
【図１０Ａ】熱交換器の右側面を示す図である。
【図１０Ｂ】比較例の熱交換器を示す側面図である。
【図１１Ａ】本発明の他の実施形態の遮蔽部材１１を示す図である。
【図１１Ｂ】図１１ＡのＡ−Ａ線における断面図である。
【図１】
0004618254.tif 000002
【図２】
0004618254.tif 000003
【図３】
0004618254.tif 000004
【図４】
0004618254.tif 000005
【図５】
0004618254.tif 000006
【図６】
0004618254.tif 000007
【図７】
0004618254.tif 000008
【図８Ａ】
0004618254.tif 000009
【図８Ｂ】
0004618254.tif 000010
【図９Ａ】
0004618254.tif 000011
【図９Ｂ】
0004618254.tif 000012
【図１０Ａ】
0004618254.tif 000013
【図１０Ｂ】
0004618254.tif 000014
【図１１Ａ】
0004618254.tif 000015
【図１１Ｂ】
0004618254.tif 000016